(57)【要約】【課題】移動通信端末における自動通知方法は、マナーモードに設定したい場所や、状況を自由に設定できる。【解決手段】ユーザ移動サポート要求受付手段１は、移動通信端末のメニュー画面により予め定められた種類の登録情報を入力させ内部に備えた記憶表に記憶する。地名基地局変換手段２は、入力された地名を通信ネットワーク内に予め具備された地名基地局変換データベース３に問い合わせることにより基地局ＩＤを入手し記憶表内に記憶する。位置照合手段４は、基地局監視に入り基地局から入手した基地局ＩＤが記憶表に記憶された基地局ＩＤと一致すればその基地局ＩＤ対応の発信相手が前記記憶表にある場合は、メッセージ発信手段５を介して基地局ＩＤ対応の発信相手に対し記憶表における発信相手対応のメッセージを発信し通知する。【選択図】      図１
2004173193.tif 000002
【特許請求の範囲】
【請求項１】
通信ネットワークの基地局間を移動する移動通信端末における自動通知方法において、前記移動通信端末が予め前記移動通信端末内に登録した前記基地局の管轄に移動した場合、予め登録された相手に予め登録されたメッセージを通知することを特徴とする移動通信端末における自動通知方法。
【請求項２】
通信ネットワークの基地局間を移動する移動通信端末における自動通知方法において、まず、前記移動通信端末のメニュー画面により予め定められた種類の登録情報を入力させ、前記登録情報を予め前記移動通信端末の内部に備えた記憶表に記憶し、次に、入力された前記登録情報における通知対象となる地点の地名を前記通信ネットワーク内に予め具備された地名基地局変換データベースに問い合わせることにより基地局ＩＤを入手し前記基地局ＩＤを前記記憶表内の前記地名対応に記憶し、次に、基地局監視に入り基地局から入手した前記基地局ＩＤが記憶表に記憶された前記基地局ＩＤと一致すればその基地局ＩＤ対応の発信相手が前記記憶表にあるかどうか確認し、前記発信相手がある場合は前記基地局ＩＤ対応の発信相手に対し前記記憶表における前記発信相手対応のメッセージを発信し通知することを特徴とする移動通信端末における自動通知方法。
【請求項３】
前記メッセージの通知は、予め前記記憶表に登録された通信方法に従って電話か電子メールによって通知することを特徴とする請求項１又は２記載の移動通信端末における自動通知方法。
【請求項４】
通信ネットワークの基地局間を移動する移動通信端末における自動通知方法において、前記移動通信端末が予め前記移動通信端末内にマナーモードに登録した前記基地局の管轄に移動した場合に予め登録された相手から着信を受けると、前記登録された相手に予め登録されたメッセージを通知することを特徴とする移動通信端末における自動通知方法。
【請求項５】
通信ネットワークの基地局間を移動する移動通信端末における自動通知方法において、まず、前記移動通信端末のメニュー画面により予め定められた種類の登録情報を入力させ、前記登録情報を予め前記移動通信端末の内部に備えた記憶表に記憶し、次に、入力された前記登録情報におけるマナーモードに設定する場所の地名を前記通信ネットワーク内に予め具備された地名基地局変換データベースに問い合わせることにより基地局ＩＤを入手し前記基地局ＩＤを前記記憶表内の前記地名対応に記憶し、次に、着信があると基地局監視に入り、前記基地局から入手した前記基地局ＩＤが前記記憶表に記憶された基地局ＩＤと一致すれば、その基地局対応に記憶された応答相手があるかどうか確認し、前記応答相手がある場合は、前記応答相手に対し前記応答相手対応のメッセージを発信し通知することを特徴とする移動通信端末における自動通知方法。
【請求項６】
前記メッセージの通知は、予め前記記憶表に登録された通信方法に従って電話か電子メールによって通知することを特徴とする請求項４又は５記載の移動通信端末における自動通知方法。
【請求項７】
通信ネットワークの基地局間を移動する移動通信端末における自動通知方式において、前記移動通信端末が予め前記移動通信端末内に登録した前記基地局の管轄に移動した場合、予め登録された相手に予め登録されたメッセージを通知するメッセージ発信手段を含んで構成されることを特徴とする移動通信端末における自動通知方式。
【請求項８】
通信ネットワークの基地局間を移動する移動通信端末における自動通知方式において、前記移動通信端末のメニュー画面により予め定められた種類の登録情報を入力させ前記登録情報を予め前記移動通信端末の内部に備えた記憶表に記憶するユーザ移動サポート要求受付手段と、入力された前記登録情報における通知対象となる地点の地名を前記通信ネットワーク内に予め具備された地名基地局変換データベースに問い合わせることにより基地局ＩＤを入手し前記基地局ＩＤを前記記憶表内の前記地名対応に記憶する地名基地局変換手段と、基地局監視に入り基地局から入手した前記基地局ＩＤが前記記憶表に記憶された前記基地局ＩＤと一致すればその基地局ＩＤ対応の発信相手が前記記憶表にあるかどうか確認する位置照合手段と、前記発信相手がある場合は前記基地局ＩＤ対応の発信相手に対し前記記憶表における前記発信相手対応のメッセージを発信し通知するメッセージ発信手段を含んで構成されることを特徴とする移動通信端末における自動通知方式。
【請求項９】
前記メッセージの通知は、予め前記記憶表に登録された通信方法に従って電話か電子メールによって通知することを特徴とする請求項７又は８記載の移動通信端末における自動通知方式。
【請求項１０】
通信ネットワークの基地局間を移動する移動通信端末における自動通知方式おいて、前記移動通信端末が予め前記移動通信端末内にマナーモードに登録した前記基地局の管轄に移動した場合に予め登録された相手から着信を受けると、前記登録された相手に予め登録されたメッセージを通知するメッセージ発信手段を含んで構成されることを特徴とする移動通信端末における自動通知方式。
【請求項１１】
通信ネットワークの基地局間を移動する移動通信端末における自動通知方式において、前記移動通信端末のメニュー画面により予め定められた種類の登録情報を入力させ前記登録情報を予め前記移動通信端末の内部に備えた記憶表に記憶するユーザ移動サポート要求受付手段と、入力された前記登録情報におけるマナーモードに設定する場所の地名を前記通信ネットワーク内に予め具備された地名基地局変換データベースに問い合わせることにより基地局ＩＤを入手し前記基地局ＩＤを前記記憶表内の前記地名対応に記憶する地名基地局変換手段と、着信があると基地局監視に入り、前記基地局から入手した前記基地局ＩＤが前記記憶表に記憶された基地局ＩＤと一致すればその基地局対応に記憶された応答相手があるかどうか確認する位置照合手段と、前記応答相手がある場合は、前記応答相手に対し前記応答相手対応のメッセージを発信し通知するメッセージ応答手段を含んで構成されることを特徴とする移動通信端末における自動通知方式。
【請求項１２】
前記メッセージの通知は、予め前記記憶表に登録された通信方法に従って電話か電子メールによって通知することを特徴とする請求項１０又は１１記載の移動通信端末における自動通知方式。
【請求項１３】
通信ネットワークの基地局間を移動する移動通信端末における自動通知プログラムにおいて、まず、前記移動通信端末のメニュー画面により予め定められた種類の登録情報を入力させ、前記登録情報を予め前記移動通信端末の内部に備えた記憶表に記憶し、次に、入力された前記登録情報における通知対象となる地点の地名を前記通信ネットワーク内に予め具備された地名基地局変換データベースに問い合わせることにより基地局ＩＤを入手し前記基地局ＩＤを前記記憶表内の前記地名対応に記憶し、次に、基地局監視に入り基地局から入手した前記基地局ＩＤが記憶表に記憶された前記基地局ＩＤと一致すればその基地局ＩＤ対応の発信相手が前記記憶表にあるかどうか確認し、前記発信相手がある場合は前記基地局ＩＤ対応の発信相手に対し前記記憶表における前記発信相手対応のメッセージを発信し通知することを特徴とする移動通信端末における自動通知プログラム。
【請求項１４】
通信ネットワークの基地局間を移動する移動通信端末における自動通知プログラムにおいて、まず、前記移動通信端末のメニュー画面により予め定められた種類の登録情報を入力させ、前記登録情報を予め前記移動通信端末の内部に備えた記憶表に記憶し、次に、入力された前記登録情報におけるマナーモードに設定する場所の地名を前記通信ネットワーク内に予め具備された地名基地局変換データベースに問い合わせることにより基地局ＩＤを入手し前記基地局ＩＤを前記記憶表内の前記地名対応に記憶し、次に、着信があると基地局監視に入り、前記基地局から入手した前記基地局ＩＤが前記記憶表に記憶された基地局ＩＤと一致すれば、その基地局対応に記憶された応答相手があるかどうか確認し、前記応答相手がある場合は、前記応答相手に対し前記応答相手対応のメッセージを発信し通知することを特徴とする移動通信端末における自動通知プログラム。
【発明の詳細な説明】
【０００１】
【発明の属する技術分野】
本発明は移動通信端末における自動通知方法と移動通信端末における自動通知方式及び移動通信端末における自動通知プログラムに関し、特にユーザが予め登録した場所に移動した場合、あるいは、マナーモードが設定されている場合に、着信が予め登録された場所の場合に、予め登録された相手に、予め登録されたメッセージを通知する移動通信端末における自動通知方法と移動通信端末における自動通知方式及び移動通信端末における自動通知プログラムに関する。
【０００２】
【従来の技術】
近年、携帯電話の利用者の増加につれて電車内や自動車での移動中などに多くの人が通話あるいは通信する機会が増加している。従来、移動中の状況を知らせようとすると、電話での受け答えや、メールなどの送受信操作を行うことで、実現していた。しかし、携帯電話が大幅に普及した結果、電車内や公共施設内などで廻りの状況に気を配るなどが必要となり、簡単に通話したり、相手に状況を知らせたり、メールでのやり取りを行うことができない場面も出てくるようになった。
【０００３】
これらの問題に関連する最新技術として、マナーモードに設定したい場合、ユーザがマナーモードに設定したい基地局に移動し、その基地局の基地局ＩＤを登録しておくと、以降ユーザがその基地局内に移動すると、自動的にマナーモードとなり、着信時に発信者にその旨を通知する方法（例えば、特許文献１参照。）や、ユーザが、入力された緯度と経度で特定される位置を中心とする一定の半径の範囲内に移動した場合や、範囲外に移動した場合に電話やメールによって予め登録された人に特定のメッセージを通知、あるいは発信する方法（例えば、特許文献２参照。）がある。
【０００４】
【特許文献１】
特開２０００−１８８７８１号公報
【特許文献２】
特開２００２−２６２３５４号公報
【０００５】
【発明が解決しようとする課題】
上述した従来の特許文献１や特許文献２で示される移動通信端末における自動通知方法は、マナーモードに設定したい場所や、状況をこちらから知らせたい場所を自由に場所名で選択できず、さらに、通知内容を、相手や場所や状況に応じて自由に設定できないなどの問題があった。
【０００６】
本発明の目的は、ユーザが予め登録した場所に移動した場合、あるいは、マナーモードが設定されている場合に、着信が予め登録された場所の場合に、予め登録された相手に、予め登録されたメッセージを通知する移動通信端末における自動通知方法及び移動通信端末における自動通知プログラムを提供することにある。
【０００７】
【課題を解決するための手段】
本願の第１の発明は、通信ネットワークの基地局間を移動する移動通信端末における自動通知方法において、前記移動通信端末が予め前記移動通信端末内に登録した前記基地局の管轄に移動した場合、予め登録された相手に予め登録されたメッセージを通知することを特徴とする。
【０００８】
本願の第２の発明は、通信ネットワークの基地局間を移動する移動通信端末における自動通知方法において、まず、前記移動通信端末のメニュー画面により予め定められた種類の登録情報を入力させ、前記登録情報を予め前記移動通信端末の内部に備えた記憶表に記憶し、次に、入力された前記登録情報における通知対象となる地点の地名を前記通信ネットワーク内に予め具備された地名基地局変換データベースに問い合わせることにより基地局ＩＤを入手し前記基地局ＩＤを前記記憶表内の前記地名対応に記憶し、次に、基地局監視に入り基地局から入手した前記基地局ＩＤが記憶表に記憶された前記基地局ＩＤと一致すればその基地局ＩＤ対応の発信相手が前記記憶表にあるかどうか確認し、前記発信相手がある場合は前記基地局ＩＤ対応の発信相手に対し前記記憶表における前記発信相手対応のメッセージを発信し通知することを特徴とする。
【０００９】
本願の第３の発明は、第１又は第２の発明の前記メッセージの通知は、予め前記記憶表に登録された通信方法に従って電話か電子メールによって通知することを特徴とする。
【００１０】
本願の第４の発明は、通信ネットワークの基地局間を移動する移動通信端末における自動通知方法において、前記移動通信端末が予め前記移動通信端末内にマナーモードに登録した前記基地局の管轄に移動した場合に予め登録された相手から着信を受けると、前記登録された相手に予め登録されたメッセージを通知することを特徴とする。
【００１１】
本願の第５の発明は、通信ネットワークの基地局間を移動する移動通信端末における自動通知方法において、まず、前記移動通信端末のメニュー画面により予め定められた種類の登録情報を入力させ、前記登録情報を予め前記移動通信端末の内部に備えた記憶表に記憶し、次に、入力された前記登録情報におけるマナーモードに設定する場所の地名を前記通信ネットワーク内に予め具備された地名基地局変換データベースに問い合わせることにより基地局ＩＤを入手し前記基地局ＩＤを前記記憶表内の前記地名対応に記憶し、次に、着信があると基地局監視に入り、前記基地局から入手した前記基地局ＩＤが前記記憶表に記憶された基地局ＩＤと一致すれば、その基地局対応に記憶された応答相手があるかどうか確認し、前記応答相手がある場合は、前記応答相手に対し前記応答相手対応のメッセージを発信し通知することを特徴とする。
【００１２】
本願の第６の発明は、第４又は第５の発明の前記メッセージの通知は、予め前記記憶表に登録された通信方法に従って電話か電子メールによって通知することを特徴とする。
【００１３】
本願の第７の発明は、通信ネットワークの基地局間を移動する移動通信端末における自動通知方式において、前記移動通信端末が予め前記移動通信端末内に登録した前記基地局の管轄に移動した場合、予め登録された相手に予め登録されたメッセージを通知するメッセージ発信手段を含んで構成されることを特徴とする。
【００１４】
本願の第８の発明は、通信ネットワークの基地局間を移動する移動通信端末における自動通知方式において、前記移動通信端末のメニュー画面により予め定められた種類の登録情報を入力させ前記登録情報を予め前記移動通信端末の内部に備えた記憶表に記憶するユーザ移動サポート要求受付手段と、入力された前記登録情報における通知対象となる地点の地名を前記通信ネットワーク内に予め具備された地名基地局変換データベースに問い合わせることにより基地局ＩＤを入手し前記基地局ＩＤを前記記憶表内の前記地名対応に記憶する地名基地局変換手段と、基地局監視に入り基地局から入手した前記基地局ＩＤが前記記憶表に記憶された前記基地局ＩＤと一致すればその基地局ＩＤ対応の発信相手が前記記憶表にあるかどうか確認する位置照合手段と、前記発信相手がある場合は前記基地局ＩＤ対応の発信相手に対し前記記憶表における前記発信相手対応のメッセージを発信し通知するメッセージ発信手段を含んで構成されることを特徴とする。
【００１５】
本願の第９の発明は、第７又は第８の発明の前記メッセージの通知は、予め前記記憶表に登録された通信方法に従って電話か電子メールによって通知することを特徴とする。
【００１６】
本願の第１０の発明は、通信ネットワークの基地局間を移動する移動通信端末における自動通知方式おいて、前記移動通信端末が予め前記移動通信端末内にマナーモードに登録した前記基地局の管轄に移動した場合に予め登録された相手から着信を受けると、前記登録された相手に予め登録されたメッセージを通知するメッセージ発信手段を含んで構成されることを特徴とする。
【００１７】
本願の第１１の発明は、通信ネットワークの基地局間を移動する移動通信端末における自動通知方式において、前記移動通信端末のメニュー画面により予め定められた種類の登録情報を入力させ前記登録情報を予め前記移動通信端末の内部に備えた記憶表に記憶するユーザ移動サポート要求受付手段と、入力された前記登録情報におけるマナーモードに設定する場所の地名を前記通信ネットワーク内に予め具備された地名基地局変換データベースに問い合わせることにより基地局ＩＤを入手し前記基地局ＩＤを前記記憶表内の前記地名対応に記憶する地名基地局変換手段と、着信があると基地局監視に入り、前記基地局から入手した前記基地局ＩＤが前記記憶表に記憶された基地局ＩＤと一致すればその基地局対応に記憶された応答相手があるかどうか確認する位置照合手段と、前記応答相手がある場合は、前記応答相手に対し前記応答相手対応のメッセージを発信し通知するメッセージ応答手段を含んで構成されることを特徴とする。
【００１８】
本願の第１２の発明は、第１０又は第１１の発明の前記メッセージの通知は、予め前記記憶表に登録された通信方法に従って電話か電子メールによって通知することを特徴とする。
【００１９】
本願の第１３の発明は、通信ネットワークの基地局間を移動する移動通信端末における自動通知プログラムにおいて、まず、前記移動通信端末のメニュー画面により予め定められた種類の登録情報を入力させ、前記登録情報を予め前記移動通信端末の内部に備えた記憶表に記憶し、次に、入力された前記登録情報における通知対象となる地点の地名を前記通信ネットワーク内に予め具備された地名基地局変換データベースに問い合わせることにより基地局ＩＤを入手し前記基地局ＩＤを前記記憶表内の前記地名対応に記憶し、次に、基地局監視に入り基地局から入手した前記基地局ＩＤが記憶表に記憶された前記基地局ＩＤと一致すればその基地局ＩＤ対応の発信相手が前記記憶表にあるかどうか確認し、前記発信相手がある場合は前記基地局ＩＤ対応の発信相手に対し前記記憶表における前記発信相手対応のメッセージを発信し通知することを特徴とする。
【００２０】
本願の第１４の発明は、通信ネットワークの基地局間を移動する移動通信端末における自動通知プログラムにおいて、まず、前記移動通信端末のメニュー画面により予め定められた種類の登録情報を入力させ、前記登録情報を予め前記移動通信端末の内部に備えた記憶表に記憶し、次に、入力された前記登録情報におけるマナーモードに設定する場所の地名を前記通信ネットワーク内に予め具備された地名基地局変換データベースに問い合わせることにより基地局ＩＤを入手し前記基地局ＩＤを前記記憶表内の前記地名対応に記憶し、次に、着信があると基地局監視に入り、前記基地局から入手した前記基地局ＩＤが前記記憶表に記憶された基地局ＩＤと一致すれば、その基地局対応に記憶された応答相手があるかどうか確認し、前記応答相手がある場合は、前記応答相手に対し前記応答相手対応のメッセージを発信し通知することを特徴とする。
【００２１】
【発明の実施の形態】
次に、本発明の実施の形態について図面を参照して詳細に説明する。
【００２２】
図１は、本発明の移動通信端末における自動通知方法の第一の実施の形態を示す動作フロー図である。
、図１に示す本発明の第一の実施の形態は、ユーザが予め登録した場所に移動した場合、予め登録された相手に、予め登録されたメッセージを通知する移動通信端末における自動通知方法に関する。
【００２３】
ユーザは、移動するに当たって、メッセージを通知したい場所（例えば、駅、ホテル、デパート、その他有名な場所）、その場所で通知したい相手、通知したい内容を移動通信端末に入力すると、移動通信端末は通知したい場所を前述のデータベース（移動通信端末が通信する通信ネットワーク内には、予め、駅、ホテル、デパート、その他有名な場所をキーとして、それらが含まれる基地局ＩＤが索引出来るデータベースが設けられている）からその場所が含まれる基地局に変換し、設定した場所即ち基地局の管轄に移動したとき、通知したい相手が登録されていれば、前述の設定されたメッセージを相手に自動通知する。通知方法は、電話であっても良いし、電子メールであっても良い。ユーザが望む方を選択するようにしておけばよい。
【００２４】
次に、図１を参照して、本発明の実施の形態についてその動作を詳細に説明する。
【００２５】
まず、ユーザが移動通信端末のユーザ移動サポート要求受付手段１を呼び出す。ユーザ移動サポート要求受付手段１は、メニュー画面により必要な登録情報を入力させ、内部の記憶表に記憶する。入力情報としては、サービスを適用する日時即ち、何日の何時から何日の何時まで行うかの情報、出発地、中継地、到着地、及び、その中でのメッセージ発信対象地点と、メッセージ発信相手、及びメッセージ内容が主体となる。出発地、中継地、到着地は、駅名や、ビル名、店名等である。また、オプションとして、中継点では、目的地まであとどれくらいかかるかなどの時間、時刻などを入力させるようにしても良いし、移動通信端末が自分で保持する移動手段の時刻表、あるいは通信ネットワーク内に予め持たせた時刻表から判断させるようにしても良い。
【００２６】
次に、地名基地局変換手段２は、入力された出発地、中継地、到着地等の地名を、通信ネットワーク内に予め具備された地名基地局変換データベース３に問い合わせ、基地局ＩＤを入手して、記憶表内の出発地、中継地、到着地対応に記憶する。
【００２７】
そして、位置照合手段４は、サービス範囲内の時間であることを確認して、基地局監視に入り、基地局から入手した基地局ＩＤが、記憶表に記憶された基地局ＩＤと一致すれば、その基地局対応に記憶された発信相手があるかどうか確認し、ある場合はメッセージ発信手段５を呼び出す。
【００２８】
メッセージ発信手段５は呼び出されると、基地局ＩＤ対応の発信相手に対し、発信相手対応のメッセージを発信し、通知する。この場合、予め記憶表に登録された通信方法に従って、電話か電子メールによって通知する。
【００２９】
図２は、第一の実施の形態の説明図であり、ユーザ２１が、出発地２３から中継地２４を経由して到着地２５をメッセージ発信地として予め登録した場合であり、出発地２３を出発すると、予め登録してある友人Ａにたいし、“ただいま出発しました。”というメッセージを発する。そして、本人が中継地２４にさしかかると、今度は、その中継地で予め発信するように登録された友人Ｂに対し“中継地付近です。到着は○時○分になりそうです。”というメッセージを発する。この場合の、到着予想時刻は、予め本人が登録する方式でも良いし、移動が電車のような場合は、移動通信端末が自分で保持している時刻表あるいは、図示しないセンターから入手した時刻表から計算しても良い。従って、友人Ａ，Ｂは、安心して、到着地点で本人を待ち受けることが出来る。
【００３０】
図３に示す本発明の第二の実施の形態は、ユーザが予め登録した場所をマナーモードに設定し、その場所に移動した場合に着信を受けると、予め登録された相手には、一般的なメッセージではなく予め登録されたメッセージを通知する移動通信端末における自動通知方法に関する。
【００３１】
ユーザは、移動するに当たって、マナーモードに設定したい場所（例えば、駅、ホテル、デパート、その他有名な場所）、その場所で着信時に通知したい相手、通知したい内容を移動通信端末に入力すると、移動通信端末はマナーモードに設定したい場所を前述のデータベース（移動通信端末が通信する通信ネットワーク内には、予め、駅、ホテル、デパート、その他有名な場所をキーとして、それらが含まれる基地局ＩＤが索引出来るデータベースが設けられている）からその場所が含まれる基地局に変換し、設定した場所即ち基地局の管轄に移動したとき、その場所で着信時に応答相手が登録されていれば、前述の設定されたメッセージを相手に自動応答する。応答方法は、電話であっても良いし、電子メールであっても良い。ユーザが望む方を選択するようにしておけばよい。
【００３２】
次に、図３を参照して、本発明の第二の実施の形態についてその動作を詳細に説明する。
【００３３】
まず、ユーザ１が移動通信端末のユーザ移動サポート要求受付手段３１を呼び出す。ユーザ移動サポート要求受付手段３１は、メニュー画面により必要な登録情報を入力させ、内部の記憶表に記憶する。入力情報としては、サービスを適用する日時即ち、何日の何時から何日の何時まで行うかの情報、出発地、中継地、到着地、及び、その中でのマナーモードに設定したい地点と、着信時にメッセージを発信したい相手、及びメッセージ内容が主体となる。出発地、中継地、到着地は、駅名や、ビル名、店名等である。また、オプションとして、中継点では、目的地まであとどれくらいかかるかなどの時間、時刻などを入力させるようにしても良いし、移動通信端末が自分で保持する移動手段の時刻表、あるいは通信ネットワーク内に予め持たせた時刻表から判断させるようにしても良い。
【００３４】
次に、地名基地局変換手段３２は、入力された出発地、中継地、到着地等の地名を、通信ネットワーク内に予め具備された地名基地局変換データベース３３に問い合わせ、基地局ＩＤを入手して、記憶表内の出発地、中継地、到着地対応に記憶する。
【００３５】
そして、位置照合手段３４は、着信があるとサービス範囲内の時間であることを確認して、基地局監視に入り、基地局から入手した基地局ＩＤが、記憶表に記憶された基地局ＩＤと一致すれば、その基地局対応に記憶された応答相手があるかどうか確認し、ある場合はメッセージ応答手段３５を呼び出す。
【００３６】
メッセージ応答手段３５は呼び出されると、基地局ＩＤ対応の応答相手に対し、応答相手対応のメッセージを発信し、通知する。この場合、予め記憶表に登録された通信方法に従って、電話か電子メールによって通知する。
【００３７】
図４は、第二の実施の形態の説明図であり、ユーザ２１が、出発地２３から中継地２４を経由して到着地２５をマナーモード設定地として予め登録した場合であり、出発地２３を出発し、中継地２４にさしかかったとき、友人Ａから“状況報告リクエスト”の着信があると、“中継地２４付近です。到着は○時○分になりそうです。”という応答メッセージを発する。また、中継地２４近辺で友人Ｂから“状況報告リクエスト”の着信があった場合も、同様に、友人Ｂ対応の応答メッセージを発する。また、中継地２４近辺で記憶表に登録されていない知人から“状況報告リクエスト”の着信があった場合は、“ただいま電話にでられません。あとでおかけ直しください。”という、一般的な応答メッセージを発する。上述の到着予想時刻は、予め本人が登録する方式でも良いし、移動が電車のような場合は、移動通信端末が自分で保持している時刻表あるいは、図示しないセンターから入手した時刻表から計算しても良い。従って、友人Ａ，Ｂは、安心して、到着地点で本人を待ち受けることが出来る。尚、記憶表に登録された基地局間で着信があった場合、“ただいま電話にでられません。あとでおかけ直しください。”という、一般的な応答メッセージを発するようにしても良いし、位置照合手段３４で記憶表に登録された基地局をトレースし、記憶表に登録されている応答相手には、メッセージ応答手段３５にて、“ただいま中継地間を移動中です。あとでおかけ直しください。”という、定められた応答メッセージを発するようにしても良い。
【００３８】
【発明の効果】
以上説明したように、本発明の移動通信端末における自動通知方法は、マナーモードに設定したい場所や、状況をこちらから知らせたい場所を自由に場所名で選択で、さらに、通知内容を、相手や場所や状況に応じて自由に設定できる効果がある。
【００３９】
【図面の簡単な説明】
【図１】本発明の移動通信端末における自動通知方法の第一の実施の形態を示す動作フロー図である。
【図２】第一の実施の形態の説明図である。
【図３】本発明の移動通信端末における自動通知方法の第二の実施の形態を示す動作フロー図である。
【図４】第二の実施の形態の説明図である。
【符号の説明】
１    ユーザ移動サポート要求受付手段
２    地名基地局変換手段
３    地名基地局変換データベース
４    位置照合手段
５    メッセージ発信手段
２１    ユーザ
２３    出発地
２４    中継地
２５    到着地
３１    ユーザ移動サポート要求受付手段
３２    地名基地局変換手段
３３    地名基地局変換データベース
３４    位置照合手段
３５    メッセージ応答手段
【図１】
2004173193.tif 000003
【図２】
2004173193.tif 000004
【図３】
2004173193.tif 000005
【図４】
2004173193.tif 000006